(57)【要約】【課題】用紙用プリンタによる印刷適性に優れ、フィルムラミネートを容易かつ確実にすることができる簡易ラミネートカード用紙等を提供する。【解決手段】簡易ラミネートカード用紙１０の１実施形態は、カード用紙の中心線を介して一方側が、透明基材／粘着剤層／剥離基材からなり、他方側が、透明基材／粘着剤層／基材からなるカード用紙において、カード用紙の前記中心線に合致するように当該カード用紙を縦断する折り込み予定線１５を設け、当該折り込み予定線の前記一方側に、透明基材側より剥離基材面までに達するカード輪郭形状ハーフカット線１６を設け、折り込み予定線を介して前記他方側のカード用紙の線対称位置に、基材側より透明基材面まで到達する前記カード輪郭形状と同一、あるいは前記カード輪郭形状を包含する略相似形状のカード輪郭形状ハーフカット線１７を設けた、ことを特徴とする。【選択図】　　図１
2004042294.tif 000002
【特許請求の範囲】
【請求項１】
カード用紙の中心線を介して一方側が、透明基材／粘着剤層／剥離基材からなり、他方側が、透明基材／粘着剤層／紙基材からなるカード用紙において、カード用紙の前記中心線に合致するように当該カード用紙を縦断する折り込み予定線を設け、当該折り込み予定線の前記一方側に、透明基材側より剥離基材面までに達するカード輪郭形状ハーフカット線を設け、折り込み予定線を介して前記他方側のカード用紙の線対称位置に、紙基材側より透明基材までを貫通する前記カード輪郭形状と同一、あるいは前記カード輪郭形状を包含する略相似形状のカード輪郭形状ハーフカット線を設けた、ことを特徴とする簡易ラミネートカード用紙。
【請求項２】
カード用紙の中心線を介して一方側が、透明基材／粘着剤層／剥離基材からなり、他方側が、紙基材のみからなるカード用紙において、カード用紙の前記中心線に合致するように当該カード用紙を縦断する折り込み予定線を設け、当該折り込み予定線の前記一方側に、透明基材側より剥離基材面までに達するカード輪郭形状ハーフカット線を設け、折り込み予定線を介して前記他方側のカード用紙の線対称位置に、紙基材に前記カード輪郭形状と同一、あるいは前記カード輪郭形状を包含する略相似形状のカード輪郭形状ミシン目線を設けた、ことを特徴とする簡易ラミネートカード用紙。
【請求項３】
カード用紙の中心線を介して一方側が、透明基材／粘着剤層／剥離基材からなり、他方側が、不透明基材／粘着剤層／剥離基材からなるカード用紙において、カード用紙の前記中心線に合致するように当該カード用紙を縦断する折り込み予定線を設け、当該折り込み予定線の前記一方側に、透明基材側より剥離基材面までに達するカード輪郭形状ハーフカット線を設け、折り込み予定線を介して前記他方側のカード用紙の線対称位置に、剥離基材側より不透明基材面まで到達する前記カード輪郭形状と同一、あるいは前記カード輪郭形状を包含する略相似形状のカード輪郭形状ハーフカット線を設けた、ことを特徴とする簡易ラミネートカード用紙。
【請求項４】
カード用紙の中心線を介して一方側が、透明基材／粘着剤層／剥離基材からなり、他方側が、不透明基材／粘着剤層／紙基材からなるカード用紙において、カード用紙の前記中心線に合致するように当該カード用紙を縦断する折り込み予定線を設け、当該折り込み予定線の前記一方側に、透明基材側より剥離基材面までに達するカード輪郭形状ハーフカット線を設け、折り込み予定線を介して前記他方側のカード用紙の線対称位置に、紙基材側より不透明基材までを貫通する前記カード輪郭形状と同一、あるいは前記カード輪郭形状を包含する略相似形状のカード輪郭形状ハーフカット線を設けた、ことを特徴とする簡易ラミネートカード用紙。
【請求項５】
透明基材が、ポリエチレンテレフタレート、ポリプロピレン、ポリエチレン、ポリ塩化ビニル、ポリカーボネート、ポリアミド、酢酸セルローズ、ポリエチレンナフタレートからなる合成樹脂フィルム、ポリ乳酸からなる生分解性フィルム、あるいはグラシン紙から選択された１種または複数のフィルムまたは紙の積層体あって、ＪＩＳ−Ｐ８１３８−１９７６『紙の不透明度試験方法』で規定される不透明度が３０％以下であることを特徴とする請求項１ないし請求項４のいずれか１の請求項に記載の簡易ラミネートカード用紙。
【請求項６】
透明基材および／または剥離基材の基材自身またはそれらの処理した表面が、用紙用プリンタで印字可能であることを特徴とする請求項１ないし請求項４のいずれか１の請求項に記載の簡易ラミネートカード用紙。
【請求項７】
折り込み予定線を含み、あるいは含まずに、透明基材側と剥離基材側に設けられたカード輪郭形状ハーフカット線の位置を最適化するため、透明基材側の前記カード輪郭形状ハーフカット線の一部を包含するように、剥離基材側からハーフカット線を設けたことを特徴とする請求項１ないし請求項４のいずれか１の請求項に記載の簡易ラミネートカード用紙。
【請求項８】
ラミネートカード用紙が、単位用紙が切り取り予定線を介して接続した連続帳票で供されることを特徴とする請求項１ないし請求項４のいずれか１の請求項に記載の簡易ラミネートカード用紙。
【請求項９】
透明基材に所定の印刷がされていることを特徴とする請求項１ないし請求項４のいずれか１の請求項に記載の簡易ラミネートカード用紙。
【請求項１０】
請求項１ないし請求項４のいずれか１の請求項に記載の簡易ラミネートカード用紙を、紙基材が内面になるように折り込み予定線により折り畳んで、透明基材側と紙基材側にそれぞれ設けられたカード輪郭形状のハーフカット線またはミシン目線が略一致するように位置合わせし、剥離基材を除去してから粘着剤層で接着し、前記ハーフカット線またはミシン目線から切り取りすることで、一枚のカードとすることを特徴とする簡易ラミネートカードの製造方法。
【発明の詳細な説明】
【０００１】
【発明の属する技術分野】
この発明は、簡易ラミネートカード用紙と簡易ラミネートカードの製造方法に関する。詳しくは、ＮＩＰ（ノンインパクトプリンタ）やＬＢＰ（レーザビームプタンタ）、ＤＩＰ（ドットインパクトプリンタ）、ＩＪＰ（インクジェットプリンタ）、熱転写プリンタ、昇華転写プリンタ、ダイレクトサーマルプリンタ等の用紙用プリンタで個別データを印字でき、かつ表面に保護フィルムをラミネートした形態のカードを簡易に発行するためのラミネートカード用紙と当該カード用紙によるラミネートカードの製造方法に関する。
従って、本発明の利用分野は、個人カードを多量に即時発行することが求められる分野であり、健康保険証、身分証明書、ポイントカード、ＰＣメンテナンス用カード、車メンテナンス用カード、簡易会員カード、趣味のサークル会員カード、定期券等に好適に利用できる。
【０００２】
【従来技術】
個人用カードの発行に際しては、ＮＩＰ（ノンインパクトプリンタ）やＬＢＰ（レーザビームプタンタ）等の用紙用プリンタにより印字することが多い。
今後、健康保険証等の個人別カード化の増大に伴い、この必要性はますます高まっていくと考えられる。
ＮＩＰやＬＢＰによるカードの印字処理に際しては、従来、疑似接着フィルムを介して台紙にカードを貼り合わせておき、台紙ごと印字するのが一般的であり、これには各種な実施形態があるが、以下の、▲１▼カード貼り合わせ方式、▲２▼ハーフカット方式、の２方式が広く知られている。
【０００３】
図１０は、カード貼り合わせ方式、図１１は、ハーフカット方式、を説明する図である。それぞれ平面図（Ａ）と断面図（Ｂ）を示している。
カード貼り合わせ方式の場合、図１０のように台紙６に疑似接着フィルム５を設け、疑似接着フィルム５にカード１が固定されている。疑似接着フィルム５は、フィルム３とフィルム４との間が疑似接着していて、剥離界面２から容易に剥離できるようにされている周知の構成である。印字後は剥離界面２からカード１を剥離して使用する。
ハーフカット方式の場合、図１１のようにカード１は台紙６と同質の材料からなり、カード１の背面に疑似接着フィルム５が設けられ、カード１面から疑似接着フィルム５の剥離界面２にまで至るようにハーフカット線７が入れられている。カード表面に印字後はハーフカット線７および剥離界面２からカード１を剥離して使用する。
【０００４】
一般に、カード貼り合わせ方式においては、カード厚を一定以上確保するためには総厚が厚くなるため、ＮＩＰ等での印字適性が低くなり、またコストは高くなる。一方、ハーフカット方式においては、カードを紙基材にしてしまうため安価ではあるが、カード厚を厚くするためには台紙全体を厚くしなくてはならず、また剥がした後の体裁や見栄えが悪くなる。
そして、これらの２方式に共通しているのは、印字した面が表出しているため、カードを紙基材にした場合では耐水性が悪く、仮にＰＥＴや発泡ＰＥＴ等からなる吸湿性のない合成紙を使用した場合、印字用の表面処理があるにせよ、擦れによる印字の脱落等は避けられないため、１年以上の長期にわたって使用されるカードとしては、必ずしも要求を満足しないものであった。
【０００５】
【発明が解決しようとする課題】
そこで、これらの問題を解決するため、図９図示の積層構造により、カード表面にラミネート層を設けるものがある。これを仮に第３方式とする。
図９は、この第３方式を説明する図である。第３方式は基本形態としては、「ハーフカット方式」であるが、これまで疑似接着した層の下の間にタック紙９を設け、タック紙側にも疑似接着フィルム５が設けられている。ハーフカット線７は下側の疑似接着フィルム５の中間まで入れられている。
この場合、まずは従来のように台紙６の表面側に印字後、タック紙９の剥離基材を剥離界面２ａからカード１を剥離すると、残された台紙側に粘着剤層８が露出している。そこで、カード１を裏返しすると共に、剥離して抜き取った部分にカード１を当て嵌めて再接着させた後、疑似接着フィルム５の剥離界面２ｂで再び剥がすと、印字面にラミネート層が出来上がっているというものである。
【０００６】
しかし、上記の方式は、ラミネートすることで、▲１▼印字内容の改ざんを防止できる、▲２▼汚染を防止できる、という特徴を有するものの、一度剥がしたカードを表裏面をひっくり返して抜き取った部分に手で貼り込まなくてはならないこと、当該部分の台紙側表面に粘着剤が露出していること、等から作業が不安定で、特に手先があまり器用でない人は、印字面を下にして台紙に貼り込めるときに、位置がずれてしまったり、空気が入ってしまったり、と体裁悪く仕上がることは珍しいことではなかった。
そこで、本発明では、ラミネート方式の特徴を有しつつ、従来方式のように印字適性や印刷耐久性が低くならず、また、カードの体裁や見栄えを悪くせず、誰でもが容易かつ確実に取り扱いできる簡易ラミネートカード用紙等を提供すべく研究して本発明の完成に至ったものである。
なお、本願と同一解決課題のため、先に本願出願人により特願　２００２−１１６９６９号がされているが、本願はさらにそれと異なる実施形態に関する内容である。
【０００７】
【課題を解決するための手段】
上記課題を解決するための本発明の要旨の第１は、カード用紙の中心線を介して一方側が、透明基材／粘着剤層／剥離基材からなり、他方側が、透明基材／粘着剤層／紙基材からなるカード用紙において、カード用紙の前記中心線に合致するように当該カード用紙を縦断する折り込み予定線を設け、当該折り込み予定線の前記一方側に、透明基材側より剥離基材面までに達するカード輪郭形状ハーフカット線を設け、折り込み予定線を介して前記他方側のカード用紙の線対称位置に、紙基材側より透明基材までを貫通する前記カード輪郭形状と同一、あるいは前記カード輪郭形状を包含する略相似形状のカード輪郭形状ハーフカット線を設けた、ことを特徴とする簡易ラミネートカード用紙、にある。
【０００８】
本発明の要旨の第２は、カード用紙の中心線を介して一方側が、透明基材／粘着剤層／剥離基材からなり、他方側が、紙基材のみからなるカード用紙において、カード用紙の前記中心線に合致するように当該カード用紙を縦断する折り込み予定線を設け、当該折り込み予定線の前記一方側に、透明基材側より剥離基材面までに達するカード輪郭形状ハーフカット線を設け、折り込み予定線を介して前記他方側のカード用紙の線対称位置に、紙基材に前記カード輪郭形状と同一、あるいは前記カード輪郭形状を包含する略相似形状のカード輪郭形状ミシン目線を設けた、ことを特徴とする簡易ラミネートカード用紙、にある。
【０００９】
本発明の要旨の第３は、カード用紙の中心線を介して一方側が、透明基材／粘着剤層／剥離基材からなり、他方側が、不透明基材／粘着剤層／剥離基材からなるカード用紙において、カード用紙の前記中心線に合致するように当該カード用紙を縦断する折り込み予定線を設け、当該折り込み予定線の前記一方側に、透明基材側より剥離基材面までに達するカード輪郭形状ハーフカット線を設け、折り込み予定線を介して前記他方側のカード用紙の線対称位置に、剥離基材側より不透明基材面まで到達する前記カード輪郭形状と同一、あるいは前記カード輪郭形状を包含する略相似形状のカード輪郭形状ハーフカット線を設けた、ことを特徴とする簡易ラミネートカード用紙、にある。
【００１０】
本発明の要旨の第４は、カード用紙の中心線を介して一方側が、透明基材／粘着剤層／剥離基材からなり、他方側が、不透明基材／粘着剤層／紙基材からなるカード用紙において、カード用紙の前記中心線に合致するように当該カード用紙を縦断する折り込み予定線を設け、当該折り込み予定線の前記一方側に、透明基材側より剥離基材面までに達するカード輪郭形状ハーフカット線を設け、折り込み予定線を介して前記他方側のカード用紙の線対称位置に、紙基材側より不透明基材までを貫通する前記カード輪郭形状と同一、あるいは前記カード輪郭形状を包含する略相似形状のカード輪郭形状ハーフカット線を設けた、ことを特徴とする簡易ラミネートカード用紙、にある。
【００１１】
本発明の要旨の第５は、上記簡易ラミネートカード用紙を、紙基材が内面になるように折り込み予定線により折り畳んで、透明基材側と紙基材側にそれぞれ設けられたカード輪郭形状のハーフカット線またはミシン目線が略一致するように位置合わせし、剥離基材を除去してから粘着剤層で接着し、前記ハーフカット線またはミシン目線から切り取りすることで、一枚のカードとすることを特徴とする簡易ラミネートカードの製造方法、にある。
【００１２】
【発明の実施の形態】
上述のように、本発明は、ＮＩＰやＬＢＰ等で印刷できる簡易ラミネートカード用紙に関し、体裁の良い個人用カードを簡易に発行できる特徴がある。
以下、図面を参照して本発明の実施形態について説明する。本発明の実施形態には、第１、第２、第３、第４の実施形態があり、それぞれ以下の図１、図２、図３、図４により説明することができる。
【００１３】
図１は、本発明の簡易ラミネートカード用紙の第１実施形態を示す図であって、図１（Ａ）は平面図、図１（Ｂ）は、図１（Ａ）の断面を示している。
図１（Ａ）のように、簡易ラミネートカード用紙１０は、略中央に設けた折り込み予定線１５を線対称にして、その一方の透明基材１３側にカード輪郭形状ハーフカット線１６があり、他方側背面には紙基材１２Ｐ側から同様に、カード輪郭形状ハーフカット線１７が形成されている。ハーフカット線１７は透明基材１３までを貫通するが部分的に接続部分を残すミシン目線状にする。完全に貫通すれば、カード化する前に当該部分が抜け落ちてしまうのは明らかである。
折り込み予定線１５も剥離基材側からハーフカット線またはミシン目線により設ける。折り込み予定線１５は、この部分からラミネートカード用紙を二つ折りする線である。
【００１４】
ハーフカット線１６と１７は、通常は同一形状、同一サイズとするが、他方の輪郭形状を包含する略相似形状のカード輪郭形状であっても良い。
「包含する」とするのは厳密に同一サイズである必要はないからであり、「略相似形状」というのは周囲から一定幅となるように縮小した場合には必ずしも相似形とはならないからである。ただし、あまり異なるサイズでは保護被覆の役割を果たさないので通常は、カードの周囲で１〜２ｍｍ程度の幅で透明基材１３が小さくなる程度とする。
もっとも、会員番号、会員氏名、会員期限等の重要事項だけを保護する目的の場合は、当該部分だけを透明基材１３で被覆する形態であってもよい。
ここで透明基材は剥離基材の保護被覆の役割をするものである。
【００１５】
以下便宜上、図１〜図４において、剥離基材の右側部分を１２ｍ、左側部分を１２ｈとする。
図１（Ｂ）のように、簡易ラミネートカード用紙１０の層構成は、折り込み予定線１５を介して一方側と他方側では異なる層構成となっている。
すなわち、カード用紙１０の一方側（図の左側部分１２ｈ）は、表面側は透明基材１３、背面側に紙基材１２Ｐに剥離層１２Ｓを設けた剥離基材１２があり、透明基材１３と剥離基材１２間に粘着剤層１４が介在する構成となっている。
折り込み予定線の他方側（図の左側部分１２ｍ）は、透明基材１３、粘着剤層１４、紙基材１２Ｐからなり、紙基材に剥離層が設けられていない。
折り込み予定線１５は、この層構成が変化する境界線部分に合致するように設けられているものである。
【００１６】
このような層構成とするのは、後に詳述するが、折り込み予定線の右側部分１２ｍにおいて剥離層を塗工する前の印刷工程を省略し、カード用紙の完成後に所定の絵柄印刷を行うことができるからである。
なお、剥離基材１３は、通常、紙基材１２Ｐからなり、その表面は処理された剥離層１２Ｓとされている。本発明の剥離基材１２と紙基材１２Ｐは、粘着剤層１４の保護紙としての役割と共にカード用紙の基材自体としての役割を果たすことになる。
【００１７】
図２は、第２実施形態を示す図である。図２（Ａ）の平面図は、図１の平面図と同様に表われているが、折り込み予定線１５の右側には透明基材が無く紙基材だけの状態になっている。右側部分のカード輪郭形状は、単層であってハーフカットにはできないのでミシン目線１７ｍにされている。
第２実施形態の簡易ラミネートカード用紙１０の層構成は、図２（Ｂ）のように、折り込み予定線１５を介してカード用紙１０の左側部分１２ｈは、表面側は透明基材１３、背面側に紙基材１２Ｐに剥離層１２Ｓを設けた剥離基材１２があり、透明基材１３と剥離基材１２間に粘着剤層１４が介在する構成となっている。折り込み予定線の右側部分１２ｍは、紙基材１２Ｐのみからなっている。
このような層構成とする場合には、右側部分１２ｍにおいての透明基材を節減できコスト低減が図れる。
【００１８】
図３は、第３実施形態を示す図である。図３（Ａ）の平面図は、図１の平面図と同様に表われているが、折り込み予定線１５の右側には不透明基材１３ｆが使用されている。
第３実施形態の簡易ラミネートカード用紙１０の層構成は、図３（Ｂ）のように、折り込み予定線１５を介してカード用紙１０の左側部分１２ｈは、表面側は透明基材１３、背面側に紙基材１２Ｐに剥離層１２Ｓを設けた剥離基材１２があり、透明基材１３と剥離基材１２間に粘着剤層１４が介在する構成となっている。折り込み予定線の右側部分１２ｍは、表面側は不透明基材１３ｆ、背面側に紙基材１２Ｐに剥離層１２Ｓを設けた剥離基材１２があり、不透明基材１３ｆと剥離基材１２間に粘着剤層１４が介在する構成となっている。
このような層構成とするのは、右側部分１２ｍを紙等の不透明基材としてコストの低減を図るためである。
【００１９】
図４は、本発明の簡易ラミネートカード用紙の第４実施形態を示す図である。
図４（Ａ）の平面図は、図１の平面図と同様に表われているが、折り込み予定線１５の右側には不透明基材１３ｆが使用され、不透明基材には剥離層が形成されていない。
第４実施形態の簡易ラミネートカード用紙１０の層構成は、図４（Ｂ）のように、折り込み予定線１５を介してカード用紙１０の左側部分１２ｈは、表面側は透明基材１３、背面側に紙基材１２Ｐに剥離層１２Ｓを設けた剥離基材１２があり、透明基材１３と剥離基材１２間に粘着剤層１４が介在する構成となっている。折り込み予定線の右側部分１２ｍは、表面側は不透明基材１３ｆ、背面側に紙基材１２Ｐがあり、不透明基材１３ｆと紙基材１２Ｐ間には粘着剤層１４が介在する構成となっている。
このような層構成とするのは、右側部分を紙等の不透明基材としてコストの低減を図ると共に、不透明基材をカード用紙としても使用するためである。
【００２０】
本発明の第１実施形態（請求項１）では、カード輪郭形状ハーフカット線１７は紙基材１２Ｐを貫通し、透明基材にもミシン目線１７ｍが設けられている。
第２実施形態（請求項２）では、カード輪郭形状ミシン目線１７が紙基材１２Ｐに形成されている。
第３実施形態（請求項３）では、カード輪郭形状ハーフカット線１７は紙基材１２Ｐを貫通し、不透明基材１３ｆにはミシン目線１７ｍが設けられていない。
第４実施形態（請求項４）では、カード輪郭形状ハーフカット線１７は紙基材１２Ｐを貫通し不透明基材１３ｆにもミシン目線１７ｍが設けられている。
【００２１】
すなわち、第１実施形態では、剥離基材１２ｍ上の透明基材１３を利用するのに対し、第３実施形態では剥離層１２Ｓより剥離基材を剥離して不透明基材を使用しない考えである。
第４実施形態は第１実施形態と同様であるが、不透明基材１３ｆを利用する考えである。第２実施形態では透明基材または不透明基材に相当する材料を使用していないので、それらを利用する余地はない。
【００２２】
ミシン目線は通常のミシン目線のように接続部と切断部が断続する形態でなく大部分が切断され、僅かに部分的に接続している形態であって良い。このような形態がカードの体裁を良くすることができるからである。
第１実施形態では、折り込み予定線１５にも透明基材側に延長したミシン目線１５ｍを設けてもよく、その場合には折り曲げが容易となる。このようなハーフカット線とミシン目線の複合形態の切り取り線や折り込み線は抜き刃の形状を調整することにより容易に形成することができる。
【００２３】
剥離基材１２面側からは、ラミネートカードの製造を容易とするために、ハーフカット線１８がさらに設けられている。ハーフカット線はカード輪郭形状のハーフカット線１６と１７の位置合わせを最適化するためのもので、図１のように１本のハーフカット線１８でも良く、折り込み予定線の左側に平行して２本設けても良く（折り込み予定線を含まない形態）、折り込み予定線を中にして（同含む形態）その両側に１本ずつ設けても良い。
【００２４】
透明基材１３や剥離基材１２の面には、事前に装飾的印刷やカードの利用方法等に関する所定の絵柄印刷１１を設けておくことができる。したがって、透明基材および／または剥離基材自身が印字や印刷が可能とされていることが好ましく、印字や印刷が可能となるように表面処理等されたものであっても良い。
なお、簡易ラミネートカード用紙の形態としては、図１〜図４のように単票であっても良く、連続帳票であっても構わない。連続帳票の場合は、図１〜図４において上下方向または左右方向の単位用紙間を切り取り可能なミシン目線により接続した形態とする。
【００２５】
簡易ラミネートカード用紙に印刷する定型の絵柄印刷１１は、透明基材と剥離基材を貼り合わせる前に行う。例えば、印字面の裏側に絵柄印刷１１が必要な場合は、透明フィルムに印刷を施しておいても良い。また、地紋模様等の場合は剥離処理する前の紙基材面に印刷しておくことが好ましい。剥離処理面に処理後に印刷できないことは良く知られている。
さらに、パターンで表裏印刷の位置合わせをしたい場合は、表裏面の印刷後に、剥離層をオフセットやフレキソ、グラビア、シルクスクリーン印刷といった方式で設けてもよい。
【００２６】
図５は、簡易ラミネートカード用紙の剥離基材または紙基材にプリンタで印字した後の裏面平面図を示す。図６は、簡易ラミネートカード用紙に印字した後にラミネートカード化する加工方法を示している。
簡易ラミネートカード用紙の剥離基材または紙基材の右側部分１２ｍ部分にＬＢＰ等で印字した後は、図５のように剥離基材または紙基材面に、発行日や、カード利用者の所属企業名、氏名、生年月日、等の個人属性事項等が表示される。剥離基材の左側部分１２ｈは剥離除去するので印字の必要はない。
【００２７】
図６に基づいて簡易ラミネートカードの製造工程を説明する。第１実施形態について説明するが、第２〜第４実施形態についても同様に類推することができる。まず上記のように剥離基材の紙基材１２Ｐ部分に所定の印字を行った後、折り込み予定線１５とハーフカット線１８の間の斜線のハッチングを施した剥離基材１２ｃ部分を剥離除去する（図６（Ａ））。
次に、カード用紙１０を折り込み予定線１５から剥離基材１２が内面となるように２つ折りに折って、一部露出した粘着剤層１４を紙基材１２Ｐに接着させる（図６（Ｂ））。
【００２８】
この際、カード輪郭形状のハーフカット線１６と１７の位置が一致するようにする。あるいはハーフカット線１７がハーフカット線１６よりも大きい形状であって、ハーフカット線１６を包含する形状である場合は同心位置になるように位置合わせする。これにより略中央部にある剥離基材１２を除去した部分が剥離基材のカード上の左端部に接し、仮接着された状態となる。
【００２９】
次いで、残る左側の剥離基材１２ｈを剥がして露出した粘着剤層１４に紙基材１２Ｐの全面を接着すると、右側のカード上に透明基材１３からなるラミネート層が形成される（図６（Ｃ））。最後に、カード輪郭形状ハーフカット線１６，１７から切り取りすれば、残存する透明基材１３や剥離基材１２、紙基材１２Ｐが除去されて簡易ラミネートカード１が得られる（図６（Ｄ））。
簡易ラミネートカード１は、印字面の両面が透明基材１３で保護されているので、耐水性や印字の耐久性にも優れたものになる。
【００３０】
本発明の第２実施形態でも、ほぼ同様に加工するが、右側部分１２ｍには透明基材が無いので、完成する簡易ラミネートカード１は、裏面側は透明基材で保護されていない形態となる。
第３実施形態は、右側部分１２ｍに不透明基材１３ｆが有るが剥離層１２Ｓがあるので、簡易ラミネートカード１は同様に、裏面側は剥離処理された面ではあるが透明フィルムでは保護されていない形態となる。
第４実施形態は、右側部分１２ｍに不透明基材１３ｆが有って剥離層１２Ｓは無いので、簡易ラミネートカード１は、裏面側に不透明基材が積層された厚みのある形態となる。
【００３１】
＜材質についての実施形態＞
透明基材としては、ポリエチレンテレフタレート（ＰＥＴ）、ポリプロピレン、ポリエチレン、ポリ塩化ビニル、ポリカーボネート、ポリアミド、酢酸セルローズ、ポリエチレンナフタレートからなる合成樹脂フィルム、ポリ乳酸からなる生分解性フィルム、あるいはグラシン紙等、から選択された１種または複数のフィルムまたは紙の積層体あってもよい。
基材を透して剥離基材に印字した内容が読めることが必要なため、透明性が良いことが望ましく、ＪＩＳ−Ｐ８１３８−１９７６『紙の不透明度試験方法』で規定される不透明度が３０％以下であれば支障なく使用することができる。
上記試験方法は、試料に白色および黒色標準板を裏当てして、緑色フィルターを介して反射率を測定するもので、前者に対する後者の比を％で表わした値を不透明度としている。１００％が完全不透明紙であるが、不透明度３０％以下であれば文字等の視認が可能である。従って、本発明の透明基材には、上記のように略透明なものも含まれる。
【００３２】
不透明基材とは、上記透明基材に該当しない不透明な基材であり、一般的には上質紙等の紙基材が該当することになる。前記透明基材の片側を不透明にして使用するものであっても良い。
【００３３】
紙基材としては、カード用紙、上質紙、コート紙、クレーコート紙、板紙、コートボール紙、被覆紙や合成紙が使用できるが、印字面は通常のＬＢＰやＮＩＰ、ＤＩＰ、ＩＪＰ、熱転写プリンタ等による印刷適性が優れたものが好ましい。印刷は、ダイレクトサーマルプリンタであっても良いが、この場合は、基材表面にサーマル層が設けられていることが必要になる。
紙基材の少なくとも、左側部分の面は粘着剤層に接する面で離型処理された剥離層となっていることが必要となる。離型処理はシリコン塗工処理等により行われる。
【００３４】
図７は、簡易ラミネートカード用紙の製造工程例を説明する図である。
本発明の簡易ラミネートカード用紙の第１実施形態と第２実施形態の製造工程は、図７により説明することができる。
まず、紙基材１２Ｐに必要な絵柄印刷１１をした後（図７（Ａ））、紙基材１２Ｐの一方側（図７の左側部分）にのみ剥離剤を塗工して剥離層１２Ｓを形成する（図７（Ｂ））。
次に、この剥離層１２Ｓまたは紙基材１２Ｐの全面に粘着剤を塗工して粘着剤層１４を形成する（図７（Ｃ））。さらに、粘着剤層１４上に透明基材１３を積層した後、折り込み予定線１５を剥離剤の塗工部と非塗工部の境界線に一致するように設けると共に、カード輪郭形状ハーフカット線１６，１７やハーフカット線１８の打ち抜きを行う（図７（Ｄ））。
本発明の第１実施形態のカード用紙は上記の工程で製造できるが、第２実施形態は、粘着剤の塗工と、透明基材の積層を、図７（Ｂ）の剥離剤を塗工した剥離層１２Ｓ面上のみに限定した実施形態に該当する。
【００３５】
図８は、簡易ラミネートカード用紙の製造工程の他の例を説明する図である。
本発明の簡易ラミネートカード用紙の第３実施形態と第４実施形態の製造工程は、図８により説明することができる。
まず、紙基材１２Ｐに必要な絵柄印刷１１をした後（図８（Ａ））、紙基材１２Ｐの全面に剥離剤を塗工して剥離層１２Ｓを形成する（図８（Ｂ））。
次に、この剥離層１２Ｓの全面に粘着剤を塗工して粘着剤層１４を形成する（図８（Ｃ））。さらにこの粘着剤層１４上であって、折り込み予定線１５の左側部分に透明基材１３を、折り込み予定線１５の右側部分が不透明基材１３ｆとなるように積層する（図８（Ｄ））。この際は、透明基材と不透明基材の縁端を突き合わせした状態で粘着剤層に接着させて積層する。
【００３６】
さらに、折り込み予定線１５を剥離剤の塗工部と非塗工部の境界線に一致するように設けると共に、カード輪郭形状ハーフカット線１６，１７やハーフカット線１８の打ち抜きを行う（図８（Ｅ））。
本発明の第３実施形態のカード用紙は上記の工程で製造できるが、第４実施形態は、第３実施形態において剥離層をカード用紙の右側部分には形成せずに、全面に粘着剤を塗工し透明基材と不透明基材を同様に突き合わせて積層した実施形態に該当する。
【００３７】
【実施例】
（実施例１）
以下、図１、図６、図７を参照して本発明の実施例１を説明する。
紙基材１２Ｐとして、剥離紙用クレーコート紙（４０ｇ／ｍ２　）を使用し、表裏の必要部分に、ＵＶ硬化タイプの通常インキを使用しオフセット印刷で絵柄印刷１１をし（図７（Ａ））、続いて基材の片側（図７において左側部分）のみに剥離剤を塗工し剥離層１２Ｓを形成した。剥離剤の塗工は、シリコーンを主体とする離型剤成分をグラビアコート方式で塗工した（図７（Ｂ））。
なお、剥離紙用クレーコート紙は、上質紙の片面に、剥離剤の効果を高めるための目止層としてクレーコートした用紙をいう。
【００３８】
剥離層１２Ｓおよび未処理のクレーコート層上に、エマルジョン型のアクリル系粘着剤を、グラビアコート方式で、ほぼ全面に塗工し直ちに熱風乾燥を行い粘着剤層１４を形成した（図７（Ｃ））。
乾燥した粘着剤層１４上に、厚み５０μｍのＰＥＴ透明基材１３を貼り合わせし（図７（Ｄ））、次いで、ダイカッタ、ミシン刃等の印刷加工で一般的に利用される公知の方法で、必要な部位に絵柄印刷で同時に設けておいた位置合わせ用マーク（トンボ）を基準に位置合わせして、ハーフカット加工やミシン目加工を行った。折り込み予定線１５はミシン目線で設け、ハーフカット線１８はハーフカットで２本設けた。これにより簡易ラミネートカード用紙が完成した。
【００３９】
この簡易ラミネートカード用紙をＬＢＰに供給して、ラミネートカード用紙の１２ｍ側の紙基材１２Ｐ面にカード利用者の所定事項を印字した後、単位のラミネートカード用紙に切断した。
このラミネートカード用紙を図６図示の手順により、まずハーフカット線１８間の剥離基材を除去して（なお、図６ではハーフカット線１８は１本にされている。）、折り込み予定線１５で二つ折りし、カード輪郭形状ハーフカット線１６がハーフカット線１７の中に納まるように位置を調整してから、残りの剥離基材１２ｈを剥離除去した。
最後に粘着剤層１４を介して透明基材１３と剥離基材１２ｍ間を圧着し、剥離基材１２ｍ側の透明基材１３を除去し、カード輪郭形状ハーフカット線からカードを切り取って簡易ラミネートカード１が完成した。
【００４０】
（実施例２）
以下、図１、図８を参照して本発明の実施例２を説明する。
紙基材１２Ｐとして、剥離紙用クレーコート紙（４０ｇ／ｍ２　）を使用し、表裏の必要部分に、ＵＶ硬化タイプの通常インキを使用しオフセット印刷で絵柄印刷１１をし（図８（Ａ））、続いて紙基材１２Ｐの全面に剥離剤を塗工し剥離層１２Ｓを形成した。剥離剤の塗工は、シリコーンを主体とする離型剤成分をグラビアコート方式で塗工した（図８（Ｂ））。
【００４１】
剥離層１２Ｓ上に、エマルジョン型のアクリル系粘着剤を、グラビアコート方式で塗工し直ちに熱風乾燥を行い粘着剤層１４を形成した（図８（Ｃ））。
乾燥した粘着剤層１４上に、厚み５０μｍのＰＥＴ透明基材１３と不透明基材（上質紙４０ｇ／ｍ２　）１３ｆの端縁を突き合わせしながら貼り合わせした（図８（Ｄ））。
次いで、ダイカッタ、ミシン刃等の印刷加工で一般的に利用される公知の方法で、必要な部位に絵柄印刷で同時に設けておいた位置合わせ用マーク（トンボ）を基準に位置合わせして、ハーフカット加工やミシン目加工を行った。
折り込み予定線１５はミシン目線で設け、ハーフカット線１８はハーフカットで２本設けた。
【００４２】
これにより簡易ラミネートカード用紙が完成した。
実施例２の簡易ラミネートカード用紙１０をＬＢＰに供給して、ラミネートカード用紙の１２ｍ側の紙基材１２Ｐ面にカード利用者の所定事項を印字した後、実施例１と同様な手順で加工してラミネートカードを得ることができた。
【００４３】
本発明の簡易ラミネートカード用紙は、上述の構成を有するので、健康保険証、身分証明書、ポイントカード、クレジットカード、ＩＤカード、会員カード、定期券、等に使用する簡易ラミネートカードの製造に好適に使用できる。
【００４４】
【発明の効果】
上述のように、本発明の簡易ラミネートカード用紙は、用紙の厚さが全面にわたって均一かほぼ均一であるため、プリンタ適性が良く、また、タック紙としてはごく普通の構成であるため、製造が容易である。
印字後にラミネートカードへの加工が容易であって、誰にでも失敗が少なく体裁や見栄えの良いカードを作ることができる。印字の耐久性を高くできる。
また、本発明の簡易ラミネートカードの製造方法によれば、安価なカードを即時に発行することができる。
【図面の簡単な説明】
【図１】本発明の簡易ラミネートカード用紙の第１実施形態を示す図である。
【図２】同第２実施形態を示す図である。
【図３】同第３実施形態を示す図である。
【図４】同第４実施形態を示す図である。
【図５】簡易ラミネートカード用紙の剥離基材または紙基材にプリンタで印字した後の裏面平面図を示す。
【図６】簡易ラミネートカード用紙に印字した後にカード化する加工方法を示す図である。
【図７】簡易ラミネートカード用紙の製造工程例を説明する図である。
【図８】簡易ラミネートカード用紙の製造工程の他の例を説明する図である。
【図９】第３方式を説明する図である。
【図１０】カード貼り合わせ方式を説明する図である。
【図１１】ハーフカット方式を説明する図である。
【符号の説明】
１　　カード、簡易ラミネートカード
２，２ａ，２ｂ　　剥離界面
３，４　　フィルム
５　　疑似接着フィルム
６　　台紙
７　　ハーフカット線
８　　粘着剤層
９　　タック紙
１０　　簡易ラミネートカード用紙
１１　　絵柄印刷
１２　　剥離基材
１２Ｐ　紙基材
１３　　透明基材
１３ｆ　不透明基材
１４　　粘着剤層
１５　　折り込み予定線
１５ｍ　ミシン目線
１６，１７　　カード輪郭形状ハーフカット線
１７ｍ　ミシン目線
１８　　ハーフカット線
【図１】
2004042294.tif 000003
【図２】
2004042294.tif 000004
【図３】
2004042294.tif 000005
【図４】
2004042294.tif 000006
【図５】
2004042294.tif 000007
【図６】
2004042294.tif 000008
【図７】
2004042294.tif 000009
【図８】
2004042294.tif 000010
【図９】
2004042294.tif 000011
【図１０】
2004042294.tif 000012
【図１１】
2004042294.tif 000013